(57)【要約】【課題】  相手先の再生可能なマルチメディアデータの変更または追加に対応して、適したメッセージを生成可能な携帯端末装置を提供する。【解決手段】  アドレス帳記憶部１０６と、端末種別毎に再生可能なマルチメディアデータ形式を記憶する端末情報記憶部１０８と、通信端末からメッセージを受信する受信部１２２と、受信メッセージのヘッダ情報から送信元の端末種別を抽出する抽出部１２６と、抽出した端末種別を、通信端末のアドレス情報に対応付けてアドレス帳記憶部１０６に登録する機種登録部１２８と、メッセージを添付データとともに宛先に送信する送信部１０４と、アドレス帳から宛先の端末種別を取得するとともに、その端末種別の形式を端末情報記憶部１０８から取得し、添付データが再生可能な形式か否かを判断する判断部１１６と、再生可能な形式でない場合、ユーザに報知する報知部１１７と、を含む。【選択図】      図２
2006279641.tif 000002
【特許請求の範囲】
【請求項１】
通信端末のアドレス情報に端末種別を対応付けて記憶するアドレス帳と、
前記端末種別毎に再生可能なマルチメディアデータの形式を記憶する端末情報テーブルと、
通信端末から発信されたメッセージを受信する受信部と、
前記受信部が受信した前記メッセージからヘッダ情報に含まれる送信元の前記通信端末の端末種別を抽出する抽出部と、
前記抽出部が抽出した前記端末種別を、前記通信端末の前記アドレス情報に対応付けて前記アドレス帳に登録する登録部と、
送信メッセージを送信する宛先を受け付ける宛先受付部と、
前記送信メッセージに添付するマルチメディアデータを受け付ける添付受付部と、
前記送信メッセージに前記マルチメディアデータを添付して前記宛先に送信する送信部と、
前記アドレス帳にアクセスし、前記宛先の前記アドレス情報に対応する前記端末種別を取得するとともに、前記端末情報テーブルにアクセスし、前記取得した前記端末種別に対応する前記マルチメディアデータの前記形式を取得し、前記送信メッセージに添付する前記マルチメディアデータが再生可能な形式か否かを判断する判断部と、
前記マルチメディアデータは前記再生可能な形式でないと判断されたとき、ユーザに報知する報知部と、
を含むことを特徴とする携帯端末装置。
【請求項２】
請求項１に記載の携帯端末装置において、
前記送信メッセージのヘッダ情報に自装置の端末種別を含むことを特徴とする携帯端末装置。
【請求項３】
請求項１または２に記載の携帯端末装置において、
前記判断部が前記再生可能な形式でないと判断したとき、前記マルチメディアデータを前記再生可能な形式に変換する変換部を含むことを特徴とする携帯端末装置。
【請求項４】
通信端末の端末種別毎に再生可能なマルチメディアデータの形式を記憶する端末情報記憶部と、
携帯端末装置から端末種別に対応する再生可能なマルチメディアデータの形式の問い合わせを受け付ける端末種別受付部と、
前記端末情報記憶部にアクセスし、前記端末種別受付部が受け付けた前記端末種別に対応する前記再生可能なマルチメディアデータの前記形式を取得する取得部と、
前記取得部が取得した前記形式を前記携帯端末装置に送信する送信部と、
を備えたことを特徴とする端末情報サーバ。
【請求項５】
携帯端末装置と、前記携帯端末装置にネットワークを介して接続された端末情報サーバと、を備えたネットワークシステムにおいて、
前記携帯端末装置は、
前記端末情報サーバに通信端末の端末種別に対応する再生可能なマルチメディアデータの形式を前記ネットワークを介して問い合わせる問い合わせ部と、
前記通信端末の前記端末種別に対応する前記再生可能なマルチメディアデータの前記形式を前記端末情報サーバから前記ネットワークを介して受信する受信部と、
前記受信部が受信した前記端末種別毎に前記再生可能なマルチメディアデータの前記形式を記憶する端末情報テーブルと、
を含み、
前記端末情報サーバは、
通信端末の前記端末種別毎に前記再生可能なマルチメディアデータの前記形式を記憶する端末情報記憶部と、
前記携帯端末装置から前記端末種別を前記ネットワークを介して受信し、前記再生可能なマルチメディアデータの前記形式の問い合わせを受け付ける端末種別受付部と、
前記端末情報記憶部にアクセスし、前記端末種別受付部が受け付けた前記端末種別に対応する前記再生可能なマルチメディアデータの前記形式を取得する取得部と、
前記取得部が取得した前記形式を前記携帯端末装置に前記ネットワークを介して送信する送信部と、
を含むことを特徴とするネットワークシステム。
【請求項６】
請求項５に記載のネットワークシステムにおいて、
前記携帯端末装置は、
通信端末のアドレス情報に端末種別を対応付けて記憶するアドレス帳と、
通信端末から発信されたメッセージを受信する受信部と、
前記受信部が受信した前記メッセージからヘッダ情報に含まれる送信元の前記通信端末の端末種別を抽出する抽出部と、
前記抽出部が抽出した前記端末種別を、前記通信端末の前記アドレス情報に対応付けて前記アドレス帳に登録する登録部と、
前記アドレス帳に前記通信端末の新しい端末種別が登録されたか否かを判定する判定部と、
を含み、
前記携帯端末装置の前記問い合わせ部は、前記新しい端末種別が登録されたとき、前記新しい端末種別に対応する前記再生可能なマルチメディアデータの前記形式を前記端末情報サーバに前記ネットワークを介して問い合わせることを特徴とするネットワークシステム。
【請求項７】
携帯端末装置がマルチメディアデータを添付してネットワークを介して他の通信端末に送信するメッセージの生成方法であって、
前記携帯端末装置が端末情報サーバに前記通信端末の端末種別に対応する再生可能なマルチメディアデータの形式をネットワークを介して問い合わせるステップと、
前記携帯端末装置が前記通信端末の前記端末種別に対応する前記再生可能なマルチメディアデータの前記形式を前記端末情報サーバから前記ネットワークを介して受信するステップと、
前記携帯端末装置が、前記受信するステップで受信した前記端末種別毎に前記再生可能なマルチメディアデータの前記形式を端末情報テーブルに記憶するステップと、
前記端末情報サーバが通信端末の前記端末種別毎に前記再生可能なマルチメディアデータの前記形式を端末情報記憶部に記憶するステップと、
前記端末情報サーバが前記携帯端末装置から前記端末種別を前記ネットワークを介して受信し、前記再生可能なマルチメディアデータの前記形式の問い合わせを受け付けるステップと、
前記端末情報サーバが前記端末情報記憶部にアクセスし、前記受け付けるステップで受け付けた前記端末種別に対応する前記再生可能なマルチメディアデータの前記形式を取得するステップと、
前記端末情報サーバが前記取得するステップで取得した前記形式を前記携帯端末装置に前記ネットワークを介して送信するステップと、
を含むことを特徴とするメッセージ生成方法。
【請求項８】
請求項７に記載のメッセージ生成方法において、
前記携帯端末装置が、通信端末のアドレス情報に端末種別を対応付けてアドレス帳に記憶するステップと、
前記携帯端末装置が、通信端末から発信されたメッセージを受信するステップと、
前記携帯端末装置が、前記受信するステップで受信した前記メッセージからヘッダ情報に含まれる送信元の前記通信端末の端末種別を抽出するステップと、
前記携帯端末装置が、前記抽出するステップで抽出した前記端末種別を、前記通信端末の前記アドレス情報に対応付けて前記アドレス帳に登録するステップと、
前記携帯端末装置が、前記アドレス帳に前記通信端末の新しい端末種別が登録されたか否かを判定するステップと、
を含み、
前記携帯端末装置の前記問い合わせするステップは、前記新しい端末種別が登録されたとき、前記新しい端末種別に対応する前記再生可能なマルチメディアデータの前記形式を前記端末情報サーバに前記ネットワークを介して問い合わせるステップを含むことを特徴とするメッセージ生成方法。
【発明の詳細な説明】
【技術分野】
【０００１】
本発明は、携帯端末装置に関し、特に、マルチメディアデータをメッセージに添付して送信可能な携帯端末装置、端末情報サーバ、ネットワークシステム、およびメッセージ生成方法に関する。
【背景技術】
【０００２】
近年、携帯電話などの携帯端末装置は、技術進歩により高機能化が進み、様々な形式の画像や音声などのマルチメディアデータを添付してメールを送受信することが可能となってきている。一方で、これらのデータの受信能力は、端末装置毎に異なるため、相手先端末が再生できない画像や音声などのマルチメディアデータを添付したメールを送信した場合、相手端末において添付された画像や音声が正常に再生されないという問題があった。これらの問題点を回避するための装置として、例えば特許文献１に記載されたものがある。同文献に記載された携帯端末装置は、通信キャリアに対応したファイル情報を記憶するファイル情報記憶手段と、アドレス帳にメールアドレスに対応する通信キャリアを入力する入力手段と、通信キャリア名が入力されたとき、ファイル情報記憶手段から通信キャリアに対応したファイル情報を取得し、メールアドレスと対応付けてアドレス帳に記憶する制御手段と、を備えている。
【特許文献１】特開２００４−２９７４３４号公報
【発明の開示】
【発明が解決しようとする課題】
【０００３】
近年における携帯電話機などの技術進歩には目覚ましいものがあり、次々と新しい機種が市場に出回り、携帯電話機の機種変更が頻繁に行われている。機種の世代交代とともに、再生可能なマルチメディアデータの形式も次々と変化していく。しかしながら、上記文献記載の従来技術では、たとえば、機種変更などにより、以前より高度な形式のマルチメディアデータが再生可能となっていても、相手先にそのことを通知しなければ、古い形式のデータしか送信されないこととなり、携帯電話機の能力を十分に発揮できないこととなり、改善の余地を有していた。
【課題を解決するための手段】
【０００４】
本発明によれば、通信端末のアドレス情報に端末種別を対応付けて記憶するアドレス帳と、
前記端末種別毎に再生可能なマルチメディアデータの形式を記憶する端末情報テーブルと、
通信端末から発信されたメッセージを受信する受信部と、
前記受信部が受信した前記メッセージからヘッダ情報に含まれる送信元の前記通信端末の端末種別を抽出する抽出部と、
前記抽出部が抽出した前記端末種別を、前記通信端末の前記アドレス情報に対応付けて前記アドレス帳に登録する登録部と、
送信メッセージを送信する宛先を受け付ける宛先受付部と、
前記送信メッセージに添付するマルチメディアデータを受け付ける添付受付部と、
前記送信メッセージに前記マルチメディアデータを添付して前記宛先に送信する送信部と、
前記アドレス帳にアクセスし、前記宛先の前記アドレス情報に対応する前記端末種別を取得するとともに、前記端末情報テーブルにアクセスし、前記取得した前記端末種別に対応する前記マルチメディアデータの前記形式を取得し、前記送信メッセージに添付する前記マルチメディアデータが再生可能な形式か否かを判断する判断部と、
前記マルチメディアデータは前記再生可能な形式でないと判断されたとき、ユーザに報知する報知部と、
を含むことを特徴とする携帯端末装置が提供される。
【０００５】
ここで、アドレス情報とは、少なくとも一つのメールアドレスおよび携帯電話番号などを含むことができる。なお、本明細書において、「メール」および「メッセージ」は同じ意味として用いることとする。
【０００６】
この発明によれば、宛先の通信端末が再生不可能な形式でマルチメディアデータを添付するのを防ぐことができ、宛先の通信端末において添付ファイルの再生エラーを防止することができ、メール送信機能の信頼性が向上する。さらに、宛先の通信端末におけるマルチメディアデータの再生可能な形式を受信メールから自動的に取得してアドレス帳に登録および更新することができるので、送信時に宛先に適した形式でマルチメディアデータを添付可能となり、宛先の通信端末において添付ファイルの再生エラーを防止することができ、メール送信機能の信頼性が向上する。
【０００７】
上記携帯端末装置において、前記送信メッセージのヘッダ情報に自装置の端末種別を含むことができる。
【０００８】
この構成によれば、端末種別を送信メッセージのヘッダ情報に含んで他の通信端末に通知することができるので、受信側の携帯端末装置において、受信メッセージのヘッダ情報から送信元の通信端末の端末種別を取得することが可能となる。
【０００９】
上記携帯端末装置において、前記判断部が前記再生可能な形式でないと判断したとき、前記マルチメディアデータを前記再生可能な形式に変換する変換部を含むことができる。この構成によれば、再生可能な形式でない場合、再生可能な形式に自動的に変換することができるので、利便性がよい。
【００１０】
本発明によれば、通信端末の端末種別毎に再生可能なマルチメディアデータの形式を記憶する端末情報記憶部と、
携帯端末装置から端末種別に対応する再生可能なマルチメディアデータの形式の問い合わせを受け付ける端末種別受付部と、
前記端末情報記憶部にアクセスし、前記端末種別受付部が受け付けた前記端末種別に対応する前記再生可能なマルチメディアデータの前記形式を取得する取得部と、
前記取得部が取得した前記形式を前記携帯端末装置に送信する送信部と、
を備えたことを特徴とする端末情報サーバが提供される。
【００１１】
この発明によれば、携帯端末装置からの問い合わせに応じて、端末種別に対応する再生可能なマルチメディアデータの形式を通知することができるので、端末種別に対応する再生可能なマルチメディアデータが変更または追加された場合にも効率よく携帯端末装置側の登録内容も追加することができ、利便性がよい。
【００１２】
本発明によれば、携帯端末装置と、前記携帯端末装置にネットワークを介して接続された端末情報サーバと、を備えたネットワークシステムにおいて、
前記携帯端末装置は、
前記端末情報サーバに通信端末の端末種別に対応する再生可能なマルチメディアデータの形式を前記ネットワークを介して問い合わせる問い合わせ部と、
前記通信端末の前記端末種別に対応する前記再生可能なマルチメディアデータの前記形式を前記端末情報サーバから前記ネットワークを介して受信する受信部と、
前記受信部が受信した前記端末種別毎に前記再生可能なマルチメディアデータの前記形式を記憶する端末情報テーブルと、
を含み、
前記端末情報サーバは、
通信端末の前記端末種別毎に前記再生可能なマルチメディアデータの前記形式を記憶する端末情報記憶部と、
前記携帯端末装置から前記端末種別を前記ネットワークを介して受信し、前記再生可能なマルチメディアデータの前記形式の問い合わせを受け付ける端末種別受付部と、
前記端末情報記憶部にアクセスし、前記端末種別受付部が受け付けた前記端末種別に対応する前記再生可能なマルチメディアデータの前記形式を取得する取得部と、
前記取得部が取得した前記形式を前記携帯端末装置に前記ネットワークを介して送信する送信部と、
を含むことを特徴とするネットワークシステムが提供される。
【００１３】
この発明によれば、端末情報サーバから携帯端末装置に未登録の端末種別が自動的に取得でき登録されるので、操作性がよく利便性が向上する。
【００１４】
上記ネットワークシステムにおいて、前記携帯端末装置は、通信端末のアドレス情報に端末種別を対応付けて記憶するアドレス帳と、通信端末から発信されたメッセージを受信する受信部と、前記受信部が受信した前記メッセージからヘッダ情報に含まれる送信元の前記通信端末の端末種別を抽出する抽出部と、前記抽出部が抽出した前記端末種別を、前記通信端末の前記アドレス情報に対応付けて前記アドレス帳に登録する登録部と、前記アドレス帳に前記通信端末の新しい端末種別が登録されたか否かを判定する判定部と、を含むことができ、前記携帯端末装置の前記問い合わせ部は、前記新しい端末種別が登録されたとき、前記新しい端末種別に対応する前記再生可能なマルチメディアデータの前記形式を前記端末情報サーバに前記ネットワークを介して問い合わせることができる。
【００１５】
この構成によれば、携帯端末装置に再生可能なマルチメディアデータが変更または追加された新しい端末種別が登録されたときも、再生可能なマルチメディアデータの形式を端末情報サーバに問い合わせて取得し、端末情報テーブルを自動的に更新することができるので、利便性がよい。
【００１６】
本発明によれば、携帯端末装置がマルチメディアデータを添付してネットワークを介して他の通信端末に送信するメッセージの生成方法であって、
前記携帯端末装置が端末情報サーバに前記通信端末の端末種別に対応する再生可能なマルチメディアデータの形式をネットワークを介して問い合わせるステップと、
前記携帯端末装置が前記通信端末の前記端末種別に対応する前記再生可能なマルチメディアデータの前記形式を前記端末情報サーバから前記ネットワークを介して受信するステップと、
前記携帯端末装置が、前記受信するステップで受信した前記端末種別毎に前記再生可能なマルチメディアデータの前記形式を端末情報テーブルに記憶するステップと、
前記端末情報サーバが通信端末の前記端末種別毎に前記再生可能なマルチメディアデータの前記形式を端末情報記憶部に記憶するステップと、
前記端末情報サーバが前記携帯端末装置から前記端末種別を前記ネットワークを介して受信し、前記再生可能なマルチメディアデータの前記形式の問い合わせを受け付けるステップと、
前記端末情報サーバが前記端末情報記憶部にアクセスし、前記受け付けるステップで受け付けた前記端末種別に対応する前記再生可能なマルチメディアデータの前記形式を取得するステップと、
前記端末情報サーバが前記取得するステップで取得した前記形式を前記携帯端末装置に前記ネットワークを介して送信するステップと、
を含むことを特徴とするメッセージ生成方法が提供される。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、相手先の再生可能なマルチメディアデータの変更または追加に対応して、適したメッセージを生成可能な携帯端末装置が提供される。
【発明を実施するための最良の形態】
【００１９】
以下、本発明の実施の形態について、図面を用いて説明する。尚、すべての図面において、同様な構成要素には同様の符号を付し、適宜説明を省略する。
【００２０】
本発明の携帯端末装置（図２の携帯電話機１０）は、通信端末のアドレス情報に端末種別を対応付けて記憶するアドレス帳（アドレス帳記憶部１０６）と、端末種別毎に再生可能なマルチメディアデータの形式を記憶する端末情報テーブル（端末情報記憶部１０８）と、通信端末から発信されたメッセージを受信する受信部（受信部１２２）と、受信部が受信したメッセージからヘッダ情報に含まれる送信元の通信端末の端末種別を抽出する抽出部（抽出部１２６）と、抽出部が抽出した端末種別を、通信端末のアドレス情報に対応付けてアドレス帳に登録する登録部（機種登録部１２８）と、送信メッセージを送信する宛先を受け付ける宛先受付部（宛先受付部１１０）と、送信メッセージに添付するマルチメディアデータを受け付ける添付受付部（添付指定受付部１１４）と、送信メッセージにマルチメディアデータを添付して宛先に送信する送信部（送信部１０４および通信制御部１２０）と、前記アドレス帳にアクセスし、前記宛先の前記アドレス情報に対応する前記端末種別を取得するとともに、前記端末情報テーブルにアクセスし、前記取得した前記端末種別に対応する前記マルチメディアデータの前記形式を取得し、前記送信メッセージに添付する前記マルチメディアデータが再生可能な形式か否かを判断する判断部（判断部１１６）と、マルチメディアデータは再生可能な形式でないと判断されたとき、ユーザに報知する報知部（報知部１１７）と、を含む。
【００２１】
本実施形態の携帯端末装置はたとえば、インターネットやＬＡＮなどのネットワークに接続可能な携帯型の移動体通信装置であり、携帯電話機やＰＤＡなどを含む。
【００２２】
図１は、本発明の携帯電話機１０の構成を示すブロック図である。携帯電話機１０は、ＣＰＵ１２と、メモリ部１４と、操作部１６と、表示部１８と、無線部２０と、アンテナ２２と、を備えている。なお、各図において、本発明の本質に関わらない部分の構成については省略してある。
【００２３】
ＣＰＵ１２は、携帯電話機１０の各要素とともに装置全体を制御する。メモリ部１４は、ＣＰＵ１２が実行するプログラムや設定情報を記憶する記憶領域やＣＰＵ１２が動作する際、使用する作業領域を含む。さらに、本実施形態の携帯電話機１０が使用するアドレス帳や各種テーブルなどを記憶する領域と、携帯電話機１０が送受信するメールやマルチメディアデータなどを格納する領域を含む。操作部１６は、携帯電話機１０の操作面（不図示）に設けられた複数の操作ボタンである。表示部１８は、携帯電話機１０の操作面や上蓋（不図示）の表面に設けられた液晶パネル表示器やＬＥＤ表示器などである。無線部２０は、アンテナ２２を介してインターネットなどのネットワークに接続し、サーバと通信を行う。スピーカ部２４は、音声を出力する。
【００２４】
図２は、図１の携帯電話機１０の機能ブロック図である。携帯電話機１０は、エディタ部１０２と、送信部１０４と、アドレス帳記憶部１０６（図中、「アドレス帳」と示す）と、端末情報記憶部１０８（図中、「端末情報」と示す）と、宛先受付部１１０と、マルチメディアデータ記憶部１１２（図中、「マルチメディアデータ」と示す）と、添付指定受付部１１４と、判断部１１６と、送信メール格納部１１８（図中、「送信メール」と示す）と、通信制御部１２０と、受信部１２２と、受信メール格納部１２４（図中、「受信メール」と示す）と、抽出部１２６と、機種登録部１２８と、問合せ部１３２と、端末情報登録部１３４と、を含む。
【００２５】
また、図３は、本発明の実施の形態に係る端末情報サーバの機能ブロック図である。本発明の実施の形態に係るネットワークシステムは、図２の携帯端末装置および図３の端末情報サーバを含むことができる。図３に示される本実施形態のサーバは、通信端末の端末種別毎に再生可能なマルチメディアデータの形式を記憶する端末情報記憶部（端末情報記憶部２１０）、携帯端末装置（携帯電話機１０）から端末種別に対応する再生可能なマルチメディアデータの形式の問い合わせを受け付ける端末種別受付部（種別受付部２０４およびインタフェース部２０２）と、端末情報記憶部にアクセスし、端末種別受付部が受け付けた端末種別に対応する再生可能なマルチメディアデータの形式を取得する取得部（取得部２０６）と、取得部が取得した形式を携帯端末装置に送信する送信部（端末情報送信部２２０およびインタフェース部２０２）と、を備える。
【００２６】
具体的には、端末情報サーバ２００は、インタフェース部２０２（図中、「Ｉ／Ｆ」と示す）と、種別受付部２０４と、取得部２０６と、端末情報記憶部２１０（図中、「端末情報」と示す）と、を含む。
【００２７】
なお、ネットワークシステムの携帯電話機１０および端末情報サーバ２００の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２８】
まず、携帯電話機１０の構成について、以下に説明する。図２に示すように、エディタ部１０２は、携帯電話機１０から送信するメールのメッセージを編集する。たとえば、メッセージに添付する添付ファイルの指定も行うことができる。編集されたメッセージは送信メール格納部１１８に格納される。送信部１０４は、エディタ部１０２で作成され、送信メール格納部１１８に格納されたメッセージを宛先に通信制御部１２０を介して発信する。なお、本実施形態において、送信部１０４は、送信メッセージのヘッダ情報に、自装置の端末種別を含めて送信する。
【００２９】
アドレス帳記憶部１０６は、通信端末のアドレス情報に端末種別を対応付けて記憶する。図４（ａ）にアドレス帳記憶部１０６の一例を示す。アドレス帳記憶部１０６は、名前４１と、電話番号４３と、メールアドレス４５と、機種４７と、を含む。なお、電話番号４３およびメールアドレス４５は複数ずつ含むこともでき、その場合、宛先毎に機種４７を対応付けて記憶することもできる。本実施形態においては、メールアドレス４５に対応する機種４７を記憶する構成としたが、これに限定されない。たとえば、同じメーカの携帯電話機１０の場合、電話番号４３からメール発信が可能とすることもできるので、その場合は、電話番号４３に対応する機種４７を記憶することもできる。機種４７は、具体的には携帯電話機１０の携帯電話会社名、サービス名（たとえば、ｉモード（登録商標）やＦＯＭＡ（登録商標）：Freedom Of Mobile multimedia Accessなど）、製品の会社名、機種名、型式などを含むことができる。
【００３０】
図２に戻り、端末情報記憶部１０８は、端末種別毎に再生可能なマルチメディアデータの形式を記憶する。図４（ｂ）に端末情報記憶部１０８の一例を示す。端末情報記憶部１０８は、端末種別５１と、ファイル種別５３と、サイズ５５と、を含む。ここで、端末種別５１は、図４（ａ）の機種４７に対応している。また、端末種別５１は、機種４７の少なくとも一部を含んでもよい。すなわち、会社名やサービス名などが全て同じ再生能力を有している場合は、会社名やサービス名のみで端末種別を区別することができる。ファイル種別５３とは、各端末種別５１に対応する通信端末が受信可能なファイル種別であり、本実施形態においては、静止画像ファイル種別が記憶されているが、これに限定されず、動画像やオーディオファイルなどを含むこともできる。
【００３１】
なお、静止画像ファイルの場合、ＪＰＥＧ（ファイン）、ＪＰＥＧ（ノーマル）、ＰＮＧ、ＧＩＦ、ＷＢＭＰなどである。動画像ファイルの場合、ＭＰＥＧ４、Ｎａｎｃｙなどである。また、オーディオファイルの場合、ＭＰＥＧ２、ＭＰＥＧ４のＡＡＣ（Advanced Audio Coding）形式、ＭＰ３（ＭＰＥＧ  Audio Layer-3）、ＡＭＲ（Advanced Multi Rate CODEC）などである。サイズ５５は、各端末種別５１に対応する通信端末が受信可能なファイルサイズの最大値である。たとえば、６ＫＢ、１５ＫＢ、３００ＫＢなどである。
【００３２】
宛先受付部１１０は、送信メッセージを送信する宛先を受け付ける。なお、ユーザは、操作部１６を操作して宛先を指定することができ、操作部１６を介して指定された宛先が受け付けられる。マルチメディアデータ記憶部１１２は、送信部１０４に添付可能なマルチメディアデータを記憶する。添付指定受付部１１４は、メールに添付するマルチメディアデータの指定を受け付ける。ここで、ユーザは、操作部１６を操作して添付ファイルを指定することができる。操作部１６を介して指定されたマルチメディアデータを受け付ける。判断部１１６は、アドレス帳記憶部１０６にアクセスし、宛先のアドレス情報に対応する端末種別を取得するとともに、端末情報記憶部１０８にアクセスし、取得した端末種別に対応するマルチメディアデータの形式を取得し、送信メッセージに添付するマルチメディアデータが再生可能な形式か否かを判断する。
【００３３】
送信メール格納部１１８は、エディタ部１０２によって作成されたメールのメッセージが送信部１０４によって送信されるまでの間格納される。通信制御部１２０は、無線部２０を介してネットワークに接続し通信を行う。受信部１２２は、通信制御部１２０を介してメッセージを受信する。受信メール格納部１２４は、受信部１２２が受信したメッセージを格納する。抽出部１２６は、受信部１２２が受信し、受信メール格納部１２４に格納されたメッセージからヘッダ情報に含まれる送信元の通信端末の端末種別を抽出する。機種登録部１２８は、抽出部１２６が抽出した端末種別を、通信端末のアドレス情報に対応付けてアドレス帳記憶部１０６に格納する。
【００３４】
問合せ部１３２は、機種登録部１２８によってアドレス帳記憶部１０６に、端末情報記憶部１０８に未登録の新しい端末種別が登録されたとき、新しい端末種別に対応する再生可能なマルチメディアデータの形式を通信制御部１２０を介してネットワーク１上の通信制御部１２０に問い合わせるとともに、端末情報サーバ２００から通信制御部１２０を介して端末情報を受信する。端末情報登録部１３４は、問合せ部１３２が端末情報サーバ２００から受信した端末情報を端末情報記憶部１０８に登録する。
【００３５】
次に、端末情報サーバ２００の構成について以下に説明する。図３において、インタフェース部２０２は、ネットワーク１に接続し、携帯電話機１０と通信を行う。種別受付部２０４は、携帯電話機１０から端末種別に対応する再生可能なマルチメディアデータの形式の問い合わせをインタフェース部２０２を介して受け付ける。
【００３６】
端末情報記憶部２１０は、通信端末の端末種別毎に再生可能なマルチメディアデータの形式を記憶する。図５に端末情報記憶部２１０の構造の一例を示す。端末情報記憶部２１０は、端末種別２１２と、ファイル種別２１４と、サイズ２１６と、を含む。端末情報記憶部２１０において、端末種別２１２には、各社の複数の機種の端末を登録することができる。これにより、携帯電話機１０が他の会社の機種の端末情報についても取得することが可能となる。ファイル種別２１４は、各端末種別２１２に対応する通信端末が受信可能なファイル種別である。サイズ２１６は、各端末種別２１２に対応する通信端末が受信可能なファイルサイズの最大値である。
【００３７】
図３に戻り、取得部２０６は、端末情報記憶部２１０にアクセスし、種別受付部２０４が受け付けた端末種別に対応する再生可能なマルチメディアデータの形式を取得する。端末情報送信部２２０は、取得部２０６が取得した形式を携帯電話機１０にインタフェース部２０２を介して送信する。
【００３８】
このように構成された本実施形態のネットワークシステムの携帯電話機１０におけるメール送信時の動作について、以下に説明する。図６は、本実施形態の携帯電話機１０におけるメール送信時の動作の一例を示すフローチャートである。以下、図１、図２、図４および図６を用いて説明する。
【００３９】
まず、ユーザが操作部１６を操作して、メールの作成を行う（ステップＳ１１）。具体的には、たとえば、操作部１６を操作してユーザが入力したメールのメッセージの編集をエディタ部１０２が行い、送信メール格納部１１８に格納する。なお、図２において、操作部１６からエディタ部１０２への制御およびデータラインは省略してある。そして、宛先受付部１１０が宛先を受け付け（ステップＳ１３）、添付指定受付部１１４が添付ファイルを受け付ける（ステップＳ１５）。
【００４０】
判断部１１６が、図４（ａ）のアドレス帳記憶部１０６にアクセスし、宛先受付部１１０が受け付けた宛先のアドレス情報に対応する端末種別を取得するとともに、図４（ｂ）の端末情報記憶部１０８にアクセスし、取得した端末種別に対応するマルチメディアデータの形式を取得し、エディタ部１０２が作成した送信メールに添付されたマルチメディアデータの形式が再生可能か否かを判断する（ステップＳ１７）。
【００４１】
再生可能な形式でない場合（ステップＳ１７のＮＯ）、報知部１１７がユーザに再生不可能な形式である旨を報知するメッセージを出力する（ステップＳ１９）。たとえば、表示部１８の液晶表示上に、「この添付ファイルは宛先の端末で再生不可能です。他の形式を選択してください。」などのメッセージを表示したり、ＬＥＤ表示器を所定の点灯色や点灯点滅パターンで表示したりする。あるいは、図１のスピーカ部２４を介して、警告音や音声ガイダンスを出力することができる。あるいは、図示されない振動部によって携帯電話機１０を所定の振動パターンで振動させることもできる。
【００４２】
一方、再生可能な形式の場合（ステップＳ１７のＹＥＳ）、メールを送信してよいか否かをメッセージなどを表示部１８に表示してユーザに確認し（ステップＳ２１）、操作部１６を介して送信指示受付部（不図示）が受け付けた送信指示に呼応して（ステップＳ２１のＹＥＳ）、送信部１０４は、送信メール格納部１１８に格納された送信メールを宛先に送信する（ステップＳ２３）送信指示を受け付けなかった場合（ステップＳ２１のＮＯ）、ステップＳ１１に戻る。
【００４３】
以上説明したように、本発明の実施の形態に係る携帯端末装置によれば、宛先の通信端末が再生不可能な形式でマルチメディアデータを添付するのを防ぐことができ、宛先の通信端末において添付ファイルの再生エラーを防止することができ、メール送信機能の信頼性が向上する。
【００４４】
次に、本実施形態のネットワークシステムの携帯電話機１０におけるメール受信時の動作について、以下に説明する。図７は、本実施形態の携帯電話機１０におけるメール受信時の動作の一例を示すフローチャートである。以下、図１、図２、図４および図７を用いて説明する。
【００４５】
まず、無線部２０および通信制御部１２０を介して受信部１２２がメールを受信する（ステップＳ３１）。受信したメールは受信メール格納部１２４に格納される。つづいて、抽出部１２６が受信メール格納部１２４に格納された受信メールのヘッダ情報に含まれる送信元の通信端末の端末種別を抽出する（ステップＳ３３）。
【００４６】
つづいて、機種登録部１２８が、アドレス帳記憶部１０６にアクセスし、受信メールの送信元アドレス情報が登録済みか否か、さらに、登録済みの場合、アドレス情報に対応する端末種別と抽出部１２６が抽出した端末種別とを比較してアドレス帳記憶部１０６の更新が必要か否かを判定する（ステップＳ３５）。アドレス帳の更新が必要な場合（ステップＳ３５のＹＥＳ）、受信メールの送信元アドレス情報に対応付けてステップＳ３３で抽出された端末種別をアドレス帳記憶部１０６に登録する（ステップＳ３７）。一方、アドレス帳の更新が不要な場合（ステップＳ３５のＮＯ）、処理を終了する。
【００４７】
つづいて、ステップＳ３７で、アドレス帳記憶部１０６に通信端末の新しい端末種別が登録されたか否かを機種登録部１２８が判定する（ステップＳ３９）。ここで、「新しい端末種別」とは、端末情報記憶部１０８に登録されていない端末種別のことである。機種登録部１２８は、端末情報記憶部１０８にアクセスし、ステップＳ３７で登録された端末種別が端末情報記憶部１０８に既に登録されているか否かを判定する。新しい端末種別が登録されたとき（ステップＳ３９のＹＥＳ）、問合せ部１３２は、新しい端末種別に対応する再生可能なマルチメディアデータの形式をネットワーク１上の端末情報サーバ２００に通信制御部１２０および無線部２０を介して問い合わせる（ステップＳ４１）。ステップＳ４１の端末情報取得処理については、図８を用いて以下に説明する。なお、新しい端末種別が登録されていない場合（ステップＳ３９のＮＯ）、処理を終了する。
【００４８】
図８は、本実施形態のネットワークシステムの端末情報取得処理の手順を示すフローチャートである。以下、図２、図３、図５および図８を用いて説明する。
【００４９】
まず、通信制御部１２０が無線部２０を介してネットワーク１にＨＴＴＰ接続する（ステップＳ５１）。つづいて、問合せ部１３２が端末情報サーバ２００にアクセスし、機種登録部１２８から通知された新しい端末種別に対応する再生可能なマルチメディアデータの形式の問い合わせを行う（ステップＳ５３）。
【００５０】
つづいて、図３の端末情報サーバ２００において、インタフェース部２０２を介して種別受付部２０４が端末種別を受け付け、取得部２０６が図５の端末情報記憶部２１０にアクセスし、ステップＳ３９で新しい端末種別と判定された端末種別が再生可能なマルチメディアデータの形式を検索する（ステップＳ５５）。取得部２０６が新しい端末種別に対応する形式を含む端末情報を取得し（ステップＳ５７）、端末情報送信部２２０がインタフェース部２０２を介して端末情報を携帯電話機１０に送信する。
【００５１】
図２の携帯電話機１０において、問合せ部１３２が無線部２０および通信制御部１２０を介して端末情報を受信し、端末情報登録部１３４が端末情報記憶部１０８にアクセスし、ステップＳ３９で新しい端末種別と判定された端末種別に対応する再生可能なマルチメディアデータの形式を登録する（ステップＳ５９）。
【００５２】
以上説明したように、本実施形態のネットワークシステムによれば、宛先の通信端末におけるマルチメディアデータの再生可能な形式を受信メールから自動的に取得してアドレス帳に登録および更新することができるので、送信時に宛先に適した形式でマルチメディアデータを添付可能となり、宛先の通信端末において添付ファイルの再生エラーを防止することができ、メール送信機能の信頼性が向上する。さらに、携帯端末装置に、再生可能なマルチメディアデータが変更または追加になるかもしれない新しい端末種別が登録されたときも、再生可能なマルチメディアデータの形式を端末情報サーバに問い合わせて取得し、端末情報テーブルを自動的に更新することができるので、相手先の通信端末において、再生可能なマルチメディアデータが変更または追加された場合にも対応でき、利便性がよい。
【００５３】
以上、図面を参照して本発明の実施形態について述べたが、これらは本発明の例示であり、上記以外の様々な構成を採用することもできる。
【００５４】
たとえば、上記実施形態においては、判断部１１６が再生可能な形式でないと判断したとき、ユーザに報知する構成としたが、これに限定されない。他の実施形態において、携帯電話機１０は、判断部１１６が再生可能な形式でないと判断したとき、マルチメディアデータを再生可能な形式に変換する変換部を含むことができる。
【００５５】
具体的には、判断部１１６の判断に呼応して、フォーマット変換メニューを起動して、添付可能なフォーマット形式への変換をユーザに促すメッセージを表示部１８に表示する。そして、ユーザが指定した形式を受け付け、受け付けた形式にフォーマット変換し、メッセージに添付して送信する。
【００５６】
あるいは、判断部１１６の判断に呼応して、ファイルの圧縮比の変更メニューを起動して、添付可能なサイズへの変換をユーザに促すメッセージを表示部１８に表示する。あるいは、自動的に添付可能なサイズを指定する。指定された圧縮比でファイルを圧縮し、ファイルサイズを縮小する。縮小されたファイルを添付して送信する。
【００５７】
あるいは、判断部１１６の判断に呼応して、ファイルの切り取りメニューを起動して、添付可能なファイルサイズにするための切り取りをユーザに促すメッセージを表示部１８に表示する。たとえば、添付可能なファイルサイズに該当する枠を添付画像ファイル上に重ねて表示し、ユーザが枠を操作部１６を操作して移動させて切り取り位置を指定することができる。ユーザが指定した切り取り位置を受け付け、受け付けた位置で画像ファイルの切り取りを行い、メッセージに添付して送信する。
【００５８】
この構成によれば、再生可能な形式でない場合、再生可能な形式に自動的に変換することができるので、利便性がよい。
【図面の簡単な説明】
【００５９】
【図１】本発明の実施形態に係る携帯電話機の構成を示すブロック図である。
【図２】図１の携帯電話機の機能ブロック図である。
【図３】本発明の実施の形態に係る端末情報サーバの機能ブロック図である。
【図４】図２の携帯電話機のアドレス帳記憶部および端末情報記憶部の構造の一例を示す図である。
【図５】図３の端末情報サーバの端末情報記憶部の構造の一例を示す図である。
【図６】図２の携帯電話機におけるメール送信時の動作の一例を示すフローチャートである。
【図７】図２の携帯電話機におけるメール受信時の動作の一例を示すフローチャートである。
【図８】図７の端末情報取得処理の手順を示すフローチャートである。
【符号の説明】
【００６０】
１  ネットワーク
１０  携帯電話機
１２  ＣＰＵ
１４  メモリ部
１６  操作部
１８  表示部
２０  無線部
２２  アンテナ
２４  スピーカ部
４１  名前
４３  電話番号
４５  メールアドレス
４７  機種
５１  端末種別
５３  ファイル種別
５５  サイズ
１０２  エディタ部
１０４  送信部
１０６  アドレス帳記憶部
１０８  端末情報記憶部
１１０  宛先受付部
１１２  マルチメディアデータ記憶部
１１４  添付指定受付部
１１６  判断部
１１７  報知部
１１８  送信メール格納部
１２０  通信制御部
１２２  受信部
１２４  受信メール格納部
１２６  抽出部
１２８  機種登録部
１３２  問合せ部
１３４  端末情報登録部
２００  端末情報サーバ
２０２  インタフェース部
２０４  種別受付部
２０６  取得部
２１０  端末情報記憶部
２１２  端末種別
２１４  ファイル種別
２１６  サイズ
２２０  端末情報送信部
【図１】
2006279641.tif 000003
【図２】
2006279641.tif 000004
【図３】
2006279641.tif 000005
【図４】
2006279641.tif 000006
【図５】
2006279641.tif 000007
【図６】
2006279641.tif 000008
【図７】
2006279641.tif 000009
【図８】
2006279641.tif 000010